(57)【要約】  内槽と外槽の間に水が存在しない洗濯機であって、外槽（１１）と、回転可能に外槽（１１）内に設けられた内槽（１０）を含み、洗浄／すすぎ過程において、前記内槽（１０）には水が投入されるが、内槽（１０）と外槽（１１）の間には水が存在せず、前記内槽（１０）の底部には排水孔（１３）が開設されており、前記内槽（１０）における底部の外壁には排水密封装置と駆動装置が設けられており、排水密封装置は、排水孔（１３）に係合して排水孔を開放／閉止するよう制御する密封部と、駆動装置に接続される接続部を含み、洗浄／すすぎ時には、前記排水密封装置の密封部が排水孔（１３）の封止を維持するが、排水／脱水時には、前記排水密封装置が駆動装置の働きによって排水孔（１３）を開放する。当該洗濯機では、排水密封装置と駆動装置がいずれも内槽に取り付けられており、脱水時には内槽全体の回転に伴ってこれらも回転する。よって、槽壁に孔を有さない非漏水型内槽からの排水が実現されるとともに、泥砂等の異物が堆積するとの課題についても良好に解決される。本構造はシンプルであり、実現が容易である。【選択図】図１
2019526415.tif 000002
【特許請求の範囲】
【請求項１】
内槽と外槽の間に水が存在しない洗濯機であって、外槽と、回転可能に外槽内に設けられた内槽を含み、洗浄／すすぎ過程において、前記内槽には水が投入されるが、内槽と外槽の間には水が存在しない洗濯機において、
前記内槽の底部には排水孔が開設されており、前記内槽の底部には排水密封装置と駆動装置が設けられており、排水密封装置は、排水孔に係合して排水孔を開放／閉止するよう制御する密封部と、駆動装置に接続される接続部を含み、
洗浄／すすぎ時には、前記排水密封装置の密封部が排水孔の封止を維持するが、排水／脱水時には、前記排水密封装置が駆動装置の働きによって排水孔を開放することを特徴とする洗濯機。
【請求項２】
前記密封部は止水蓋であり、前記接続部は梃子構造であり、梃子構造の作用点側アーム端には止水蓋が接続され、力点側アーム端には駆動装置が接続され、
前記梃子構造では、駆動装置の働きによって、止水蓋が洗浄及びすすぎ過程においては排水孔を閉止し、排水／脱水時においては排水孔を開放することを特徴とする請求項１に記載の内槽と外槽の間に水が存在しない洗濯機。
【請求項３】
前記梃子構造はレバー及びレバーブラケットを含み、レバーブラケットは内槽における底壁の外側に固定され、レバーは回動可能にレバーブラケットに取り付けられ、
前記駆動装置はモータであり、モータの出力端は、止水蓋が洗浄及びすすぎ過程においては排水孔を閉止する一方、排水時には排水孔を開放するよう、レバーの力点側アーム端に作用してレバーを上下に運動させることを特徴とする請求項２に記載の内槽と外槽の間に水が存在しない洗濯機。
【請求項４】
前記レバーの力点側アームと作用点側アームの間には夾角が設けられており、前記モータはプッシュプルモータであり、プッシュプルモータの出力軸がレバーの作用点側アームに軸支されており、
好ましくは、前記レバーの力点側アームと作用点側アームとの夾角は９０°以上であることを特徴とする請求項３に記載の内槽と外槽の間に水が存在しない洗濯機。
【請求項５】
前記レバーには弾性装置が取り付けられており、弾性装置は、レバーの作用点側アーム端に作用して止水蓋を位置回復させ、排水孔を閉止することを特徴とする請求項３に記載の内槽と外槽の間に水が存在しない洗濯機。
【請求項６】
前記駆動装置にはワイヤレス充電モジュールを用いて電気を供給するか、或いは、前記駆動装置は単独で設けられるバッテリモジュールを有して電気を供給されることを特徴とする請求項１〜５のいずれかに記載の内槽と外槽の間に水が存在しない洗濯機。
【請求項７】
前記ワイヤレス充電モジュールは送電コイルと受電コイルを含み、
前記受電コイルは、内槽における底部の外壁に取り付けられるとともに、駆動装置に電気的に接続され、
前記送電コイルは外槽の外壁又は洗濯機のハウジング内に取り付けられ、送電コイルは電源に接続されることを特徴とする請求項６に記載の内槽と外槽の間に水が存在しない洗濯機。
【請求項８】
前記送電コイルは、外槽における底部の外側に取り付けられるとともに、受電コイルに対応していることを特徴とする請求項７に記載の内槽と外槽の間に水が存在しない洗濯機。
【請求項９】
前記駆動装置は、内槽における底部の外壁に密封装着されることを特徴とする請求項１〜８のいずれかに記載の内槽と外槽の間に水が存在しない洗濯機。
【請求項１０】
更に、密封カバーを含み、密封カバーは内槽における底部の外壁に密封装着され、前記排水密封装置と駆動装置はいずれも密封カバー内に設けられることを特徴とする請求項９に記載の内槽と外槽の間に水が存在しない洗濯機。
【発明の詳細な説明】
【技術分野】
【０００１】
本発明は洗濯機器の技術分野に関し、具体的には、内槽と外槽の間に水が存在しない洗濯機に関する。
【背景技術】
【０００２】
従来の洗濯機は、ハウジングと、ハウジング内に設けられた外槽及び内槽を含み、内槽が回転可能に外槽内に設けられている。衣類の脱水機能を実現するために、内槽の槽壁には脱水孔が全面に配置されている。そのため、衣類の洗浄時において洗浄水が脱水孔から内槽と外槽の間に流入するが、これらの洗浄水は十分に活用されないため水資源の無駄となる。
【０００３】
また、内槽と外槽の間に水が存在するとの問題に起因して、内槽の外壁、外槽の内壁及び内槽と外槽の間といった領域に汚れが発生し、ユーザの衣類を汚染するため、ユーザの洗濯の経験に深刻な影響が及ぶ。
【０００４】
上記の課題を解決するために、従来の洗濯機は、主な構造的特徴として内槽の槽壁に孔を備えていない。この場合、洗浄時には内槽にのみ水が存在し、内槽と外槽の間には水が存在しなくなる。よって、洗濯時の水の使用量が節約されるだけでなく、内槽と外槽の間に発生する汚れを根絶できることから、衣類の汚染が回避され、洗浄効果が向上する結果、ユーザの経験が高まる。
【０００５】
しかし、洗浄時に内槽と外槽の間に水が存在しない上記洗濯機は、一定期間使用するうちに、内槽に孔がないことに起因して洗浄後の泥砂等の異物が速やかに排出されないことがあり、ユーザの洗濯効果に支障をきたす。
【０００６】
洗浄時に内槽と外槽の間に水が存在しない洗濯機における泥砂等異物の排出問題を解決するために、特に本発明を提案する。
【発明の概要】
【発明が解決しようとする課題】
【０００７】
上記の課題を解決するために、本発明は、内槽と外槽の間に水が存在しない洗濯機を提供する。具体的には、以下の技術方案を採用する。
【課題を解決するための手段】
【０００８】
内槽と外槽の間に水が存在しない洗濯機であって、外槽と、回転可能に外槽内に設けられた内槽を含み、洗浄／すすぎ過程において、前記内槽には水が投入されるが、内槽と外槽の間には水が存在せず、前記内槽の底部には排水孔が開設されており、前記内槽の底部には排水密封装置と駆動装置が設けられており、排水密封装置は、排水孔に係合して排水孔を開放／閉止するよう制御する密封部と、駆動装置に接続される接続部を含み、洗浄／すすぎ時には、前記排水密封装置の密封部が排水孔の封止を維持するが、排水／脱水時には、前記排水密封装置が駆動装置の働きによって排水孔を開放する。
【０００９】
更に、前記密封部は止水蓋であり、前記接続部は梃子構造であり、梃子構造の作用点側アーム端には止水蓋が接続され、力点側アーム端には駆動装置が接続され、前記梃子構造では、駆動装置の働きによって、止水蓋が洗浄及びすすぎ過程においては排水孔を閉止し、排水／脱水時においては排水孔を開放する。
【００１０】
更に、前記梃子構造はレバー及びレバーブラケットを含み、レバーブラケットは内槽における底壁の外側に固定され、レバーは回動可能にレバーブラケットに取り付けられ、前記駆動装置はモータであり、モータの出力端は、止水蓋が洗浄及びすすぎ過程においては排水孔を閉止する一方、排水時には排水孔を開放するよう、レバーの力点側アーム端に作用してレバーを上下に運動させる。
【００１１】
更に、前記レバーの力点側アームと作用点側アームの間には夾角が設けられており、前記モータはプッシュプルモータであり、プッシュプルモータの出力軸がレバーの作用点側アームに軸支されており、好ましくは、前記レバーの力点側アームと作用点側アームとの夾角は９０°よりも大きい。
【００１２】
更に、前記レバーには弾性装置が取り付けられており、弾性装置は、レバーの作用点側アーム端に作用して止水蓋を位置回復させ、排水孔を閉止する。
【００１３】
更に、前記駆動装置にはワイヤレス充電モジュールを用いて電気を供給するか、或いは、前記駆動装置は単独で設けられるバッテリモジュールを有して電気を供給される。
【００１４】
更に、前記ワイヤレス充電モジュールは送電コイルと受電コイルを含み、前記受電コイルは、内槽における底部の外壁に取り付けられるとともに駆動装置に電気的に接続され、前記送電コイルは外槽の外壁又は洗濯機のハウジング内に取り付けられ、送電コイルは電源に接続される。
【００１５】
更に、前記送電コイルは、外槽における底部の外側に取り付けられるとともに、受電コイルに対応している。
【００１６】
更に、前記駆動装置は、内槽における底部の外壁に密封装着される。
【００１７】
更に、密封カバーを含み、密封カバーは内槽における底部の外壁に密封装着され、前記排水密封装置と駆動装置はいずれも密封カバー内に設けられる。
【発明の効果】
【００１８】
本発明における内槽と外槽の間に水が存在しない洗濯機は、洗浄／すすぎ過程において、前記内槽には水が投入されるが、内槽と外槽の間には水を存在させない。即ち、本発明における洗濯機の内槽は槽壁に孔を有さない非漏水型内槽である。内部に投入される水は衣類の洗浄に用いられる。また、本発明における内槽の底部には排水孔が開設されており、洗浄終了後の排水に用いられる。
【００１９】
本発明では、排水密封装置と駆動装置をいずれも内槽に取り付けており、脱水時には内槽全体の回転に伴ってこれらも回転する。この場合、洗浄過程で内槽をロックするためのロック機構を別途設ける必要がなく、このような課題が解決される。
【００２０】
本発明における内槽と外槽の間に水が存在しない洗濯機によれば、槽壁に孔を有さない非漏水型内槽からの排水が実現されるとともに、泥砂等の異物が堆積するとの課題についても良好に解決される。本構造はシンプルであり、実現が容易である。
【００２１】
本発明の駆動装置は回転する洗濯機の内槽に取り付けられるため、通常の導線では電気供給が不可能である。そのため、本発明ではワイヤレス充電方式で電気供給を実現する。
【００２２】
洗浄過程では送電コイルが通電しないため、電磁誘導の原理によって受電コイルに電流は発生せず、駆動装置に対する電気供給が不可能となる。止水蓋はレバーに取り付けられており、レバーブラケットに取り付けられる弾性装置の働きを受けて、内槽の底部における排水孔を封止する。これにより、洗浄過程における漏水防止が実現される。
【００２３】
排水時には送電コイルが通電するため、電磁誘導の原理によって受電コイルに誘導電流が発生し、駆動装置に電気が供給される。すると、駆動装置が動作することでレバーが作動する。このとき、梃子の原理によって止水蓋が内槽の底部における排水孔を開放し、排水を実現する。
【００２４】
脱水時には送電コイルが通電を維持するため、電磁誘導の原理によって受電コイルに誘導電流が発生し、駆動装置に引き続き電気が供給される。すると、駆動装置が動作することでレバーが作動する。このとき、梃子の原理によって止水蓋が内槽の底部における排水孔の開放を維持する。これにより、一部の脱水により生じた水や洗浄過程で生じた泥砂等の異物を排水孔から排出可能となる。また、脱水運転時には、排水密封装置、駆動装置及び受電コイルがいずれも内槽とともに回転することから、駆動装置を外槽に設ける場合のような位置決めの問題が回避される。
【図面の簡単な説明】
【００２５】
【図１】図１は、本発明の内槽と外槽の間に水が存在しない洗濯機の立体構造を示す図である。
【図２】図２は、本発明の内槽と外槽の間に水が存在しない洗濯機の断面図である。
【図３】図３は、本発明の内槽と外槽の間に水が存在しない洗濯機における駆動装置の電気供給の原理図一である。
【図４】図４は、本発明の内槽と外槽の間に水が存在しない洗濯機における駆動装置の電気供給の原理図二である。
【発明を実施するための形態】
【００２６】
以下に、図面を組み合わせて、本発明における内槽と外槽の間に水が存在しない洗濯機につき詳細に説明する。
【００２７】
図１及び図２に示すように、本実施例における内槽と外槽の間に水が存在しない洗濯機は、外槽１１と、回転可能に外槽１１内に設けられた内槽１０を含む。洗浄／すすぎ過程において、前記内槽１０には水が投入されるが、内槽１０と外槽１１の間には水が存在しない。前記内槽１０の底部には排水孔１３が開設されている。また、前記内槽１０の底部には排水密封装置と駆動装置が設けられている。排水密封装置は、排水孔に係合して排水孔を開放／閉止するよう制御する密封部と、駆動装置に接続される接続部を含む。洗浄／すすぎ時には、前記排水密封装置の密封部が排水孔の封止を維持するが、脱水時には、前記排水密封装置が駆動装置の働きによって排水孔を開放する。
【００２８】
本実施例の排水密封装置は、洗浄／すすぎ過程において排水孔１３を封止することで、内槽１０と外槽１１の間の領域に洗浄水が進入するとの事態を回避し、槽間に水が存在しないよう維持する。これにより、汚れが発生してユーザの衣類を汚染する事態が回避される。また、排水密封装置は、脱水過程において排水孔１３を開放することで、脱水及び排水を実現可能なだけでなく、洗浄過程における泥砂等の異物を排出可能なことから、内槽が清潔に維持される。
【００２９】
本実施例の駆動装置は、排水密封装置が排水孔１３を開放／閉止する際の動力源となる。
【００３０】
本実施例の内槽１０は内槽底９を含み、前記排水孔１３が内槽底９に設けられている。
【００３１】
本実施例における内槽と外槽の間に水が存在しない洗濯機は、洗浄／すすぎ過程において、前記内槽１０には水が投入されるが、内槽１０と外槽１１の間には水を存在させない。即ち、本発明における洗濯機の内槽１０は、槽壁に孔を有さない非漏水型内槽である。内部に投入される水は衣類の洗浄に用いられる。また、本発明における内槽１０の底部には排水孔１３が開設されており、洗浄終了後の排水に用いられる。
【００３２】
本実施例では、排水密封装置と駆動装置をいずれも内槽に取り付けており、脱水時には内槽全体の回転に伴ってこれらも回転する。この場合、洗浄過程で内槽をロックするためのロック機構を別途設けることなく、槽壁に孔を有さない非漏水型内槽からの排水が実現されるほか、泥砂等の異物が堆積するとの課題についても良好に解決される。本構造はシンプルであり、実現が容易である。
【００３３】
また、本実施例の好ましい実施形態として、本実施例の内槽１０には、側壁の上部周りにのみ脱水用排水孔が設けられる。脱水用排水孔は、洗濯機の内槽の最大給水量以上の位置に設けられ、脱水時に出た水がここから排出される。一方、内槽１０における側壁のその他の部位は封止設計となっており、いかなる貫通孔構造も設けられていない。また、内槽１０の底壁には比較的孔径の大きな排水孔１３が設けられている。洗浄及びすすぎ過程では前記排水孔１３を閉止し、排水時には排水孔を開放するが、内槽底壁のその他の部位については封止設計とする。
【００３４】
本実施例の好ましい実施形態として、排水密封装置と駆動装置は、いずれも内槽における底部の外壁に取り付けられる。
【００３５】
本実施例の一実施形態として、本実施例の密封部は止水蓋３とし、前記接続部は梃子構造とする。梃子構造の作用点側アーム端には止水蓋３が接続され、力点側アーム端には駆動装置が接続される。前記梃子構造では、駆動装置の働きによって、止水蓋が洗浄及びすすぎ過程においては排水孔を閉止し、排水時においては排水孔を開放する。本発明の排水密封装置では梃子構造を用い、排水孔の開閉がいずれも梃子の作用を受けることから、より確実となる。
【００３６】
更に、本実施例における前記梃子構造は、レバー４とレバーブラケット６を含む。レバーブラケット６は内槽１０における底壁の外側に固定され、レバー４が回動可能にレバーブラケット６に取り付けられている。本実施例では、梃子構造による梃子運動を実現するために、前記駆動装置の出力端をレバーの力点側アーム端に作用させる。具体的には以下に述べる通りである。
【００３７】
実施形態１：本実施形態の駆動装置はカム及びモータを含む。前記カムはモータの出力軸に取り付けられ、モータにより回転駆動される。カムは内槽１０における底壁の外側に装着され、カムの輪郭曲面がレバー４の力点側アーム端に接触する。前記輪郭曲面がカムの回動に伴ってレバー４の力点側アームを押圧／解放することで、梃子構造による梃子運動が実現される。
【００３８】
本実施例では、カムが回動過程において輪郭曲面の異なる曲面を介してレバー４の力点側アーム端と接触する。曲率半径の大きな面がレバー４の力点側アーム端に接触すると、カムがレバー４の力点側アームを押圧する。すると、レバー４の力点側アーム端が圧力を受けて上方へ運動し、レバー４の作用点側アーム端が下方に運動することで、止水蓋３が排水孔１３を開放する。一方、曲率半径の小さな面がレバー４の力点側アーム端に接触すると、カムがレバー４の力点側アームを解放する。これにより、レバー４の力点側アーム端が下方に位置回復し、レバー４の作用点側アーム端が上方へ運動することで、止水蓋３が排水孔を閉止する。
【００３９】
本発明の輪郭曲面は、少なくとも第１曲面、第２曲面及び第３曲面を含む。第１曲面の曲率半径は徐々に拡大しており、第２曲面の曲率半径は第１曲面の曲率半径の最大値に等しい。また、第３曲面の曲率半径は第２曲面の曲率半径よりもやや小さい。そのため、本発明の止水蓋３が閉止する際には、輪郭曲面の第１曲面とレバー４における力点側アーム端が接触することになる。輪郭曲面は、カムの回動過程において、第１曲面、第２曲面がレバー４の力点側アーム端にそれぞれ接触し、曲率半径が最大の第２曲面に到達した後に、第３曲面に到達するまで回動を継続してから停止する。このとき、第３曲面がレバー４の力点側アーム端を押圧することで止水蓋３が開放される。このように、主としてカムが回動を停止すると、第３曲面の曲率半径が第２曲面の曲率半径よりもやや小さいことから、カムの回転が防止され、止水蓋３の開放状態がより確実に保証される。
【００４０】
実施形態２：本実施形態における駆動装置はモータ７である。モータ７の出力端は、止水蓋３が洗浄及びすすぎ過程においては排水孔を閉止する一方、排水時には排水孔を開放するよう、レバーの力点側アーム端に作用してレバーを上下に運動させる。
【００４１】
更に、前記レバー４の力点側アームと作用点側アームの間には夾角が設けられている。前記モータ７はプッシュプルモータであり、プッシュプルモータの出力軸がレバーの作用点側アームに軸支されている。本実施例では、プッシュプルモータの伸縮運動によってレバー４における力点側アームの上下運動を可能とする。これにより、梃子構造による梃子運動が実現される結果、排水孔１３が閉止／開放される。
【００４２】
好ましくは、前記レバーの力点側アームと作用点側アームとの夾角は９０°以上である。レバーの力点側アームと作用点側アームの間を鈍角に設けることで、プッシュプルモータから出力される動力のより多くが垂直方向の力に確実に分解されて、梃子運動が実現される。
【００４３】
本実施例の好ましい実施形態として、前記レバーに弾性装置を取り付ける。弾性装置は、レバー４の作用点側アーム端に作用して止水蓋を位置回復させ、排水孔１３を閉止する。
【００４４】
具体的に、梃子構造のレバー４とレバーブラケット６の間にレバー４を位置回復させるバネ５を設ける。本実施例では、バネ５によってレバー４の位置回復を実現し、排水孔１３の密封を維持することができる。本構造はシンプルであり、取り付けやすく、確実且つ効果的である。
【００４５】
本実施例の好ましい実施形態として、前記止水蓋３と梃子構造における作用点側アーム端はヒンジを介して接続される。止水蓋３は、梃子構造における作用点側アーム端の中心線周りに回動自在であり、止水蓋３と内槽の底壁との間に０〜１５°の可動夾角が設けられる。好ましくは、前記可動夾角を５°とする。梃子構造の運動軌跡は直線状のため、止水蓋３が排水孔を覆う際に、一部が接触しているにも拘わらず他の部分が未接触となり、排水孔がしっかりと塞がれないことで漏水する場合がある。そこで、止水蓋３を梃子構造にヒンジ接続すれば、止水蓋３に一定の可動角を持たせることができ、止水蓋３による排水孔の封止がより容易となる。
【００４６】
本実施例の好ましい実施形態として、前記内槽１０の排水口周りには堰止リブ１７が設けられている。堰止リブ１７の主な役割は、排水孔１３からの排水時に水流が梃子構造を押し流して不安定化させ、ひいては損傷させるとの事態を防止することである。更に、堰止リブ１７のうちレバー４に対応する箇所には切欠き１８が設けられているため、堰止リブ１７がレバー４の正常な上昇及び下降を妨げることがなく、止水蓋３の開閉がよりスムーズとなる。堰止リブ１７は、梃子構造に向かって流動する水流を減少させるためのものにすぎない。好ましくは、前記堰止リブ１７を排水孔１３のうち梃子構造寄りの側に設置する。
【００４７】
本発明の駆動装置は回転する洗濯機の内槽に取り付けられるため、通常の導線では電気供給が不可能である。そのため、本発明ではワイヤレス充電方式で電気供給を実現する。
【００４８】
ワイヤレス充電の原理：周知のように、電流がコイルを流れる際にはその周囲に磁場が発生し、その他の通電していないコイルがこの磁場に接近するとコイルに電流が発生する。これを利用して、駆動装置に電気供給することが可能である。
【００４９】
そこで、磁場の振動と共振可能なコイルを配列すれば、ワイヤレス電気供給を実現しつつ電気供給の距離を延長することが可能となる。
【００５０】
図２、図３及び図４に示すように、内槽と外槽の間に水が存在しない洗濯機において、前記駆動装置にはワイヤレス充電モジュールを用いて電気を供給する。
【００５１】
具体的に、前記ワイヤレス充電モジュールは、送電コイル１２と受電コイル８を含む。前記受電コイル８は、内槽１０における底部の外壁に取り付けられるとともに、駆動装置に電気的に接続される。また、前記送電コイル１２は外槽の外壁又は洗濯機のハウジング内に取り付けられている。送電コイルは電源１５に接続される。
【００５２】
好ましくは、前記送電コイル１２は外槽における底部の外側に取り付けられるとともに、受電コイル８に対応する。これにより、ワイヤレス充電における伝送パワーを向上させられる。
【００５３】
更に、本実施例における送電コイル１２と電源との間には送電コイルキャパシタ１４が直列に接続され、受電コイル８と駆動装置との間には受電コイルキャパシタ１６が直列に接続される。これにより、ワイヤレス充電システム全体の適応性と安定性が強化される。
【００５４】
洗浄過程では送電コイル１２が通電しないため、電磁誘導の原理によって受電コイル８に電流は発生せず、駆動装置に対する電気供給が不可能となる。止水蓋３はレバー４に取り付けられており、レバーブラケット６に取り付けられる弾性装置の働きを受けて、内槽１０の底部における排水孔１３を封止する。これにより、洗浄過程における漏水防止が実現される。
【００５５】
排水時には送電コイル１２が通電するため、電磁誘導の原理によって受電コイル８に誘導電流が発生し、駆動装置に電気が供給される。すると、駆動装置が動作することでレバー４が作動する。このとき、梃子の原理によって止水蓋３が内槽１０の底部における排水孔１３を開放し、排水を実現する。
【００５６】
脱水時には送電コイル１２が通電を維持するため、電磁誘導の原理によって受電コイル８に誘導電流が発生し、駆動装置に引き続き電気が供給される。すると、駆動装置が動作することでレバー４が作動する。このとき、梃子の原理によって止水蓋３が内槽１０の底部における排水孔１３の開放を維持する。これにより、一部の脱水により生じた水や洗浄過程で生じた泥砂等の異物を排水孔１３から排出可能となる。また、脱水運転時には、排水密封装置、駆動装置及び受電コイルがいずれも内槽とともに回転することから、駆動装置を外槽に設ける場合のような位置決めの問題が回避される。
【００５７】
本実施例の一実施形態として、前記駆動装置は、単独で設けられるバッテリモジュールを有して電気を供給される。本実施例におけるバッテリモジュールは、密封装着されるとともに取り外し可能なことから、取り外して充電したり、ケーブルを直接接続して充電したりすることが可能である。
【００５８】
本実施例の一実施形態として、前記駆動装置は、内槽における底部の外壁に密封装着される。
【００５９】
具体的に、本実施例における洗濯機は更に密封カバーを含む。密封カバーは内槽における底部の外壁に密封装着される。また、前記排水密封装置と駆動装置はいずれも密封カバー内に設けられる。
【００６０】
以上は本発明の好ましい実施例にすぎず、本発明を何らかの形式に限定するものではない。本発明については好ましい実施例によって上記のように開示したが、本発明を限定するとの主旨ではなく、本発明の技術方案を逸脱しない範囲において、当業者が上記で提示した技術内容を用いて行うわずかな変形或いは補足は、同等に変形された等価の実施例とみなされる。本発明の技術方案の内容を逸脱することなく、本発明の技術的本質に基づいて上記の実施例に加えられる簡単な修正、同等の変形及び補足は、いずれも本発明の請求の範囲内とされる。
【符号の説明】
【００６１】
１  フランジ
２  減速器
３  止水蓋
４  レバー
５  バネ
６  レバーブラケット
７  モータ
８  受電コイル
９  内槽底
１０  内槽
１１  外槽
１２  送電コイル
１３  排水孔
１４  送電コイルキャパシタ
１５  電源
１６  受電コイルキャパシタ
１７  堰止リブ
１８  切欠き
【図１】
2019526415.tif 000003
【図２】
2019526415.tif 000004
【図３】
2019526415.tif 000005
【図４】
2019526415.tif 000006
【国際調査報告】
2019526415.tif 000007
2019526415.tif 000008
2019526415.tif 000009
2019526415.tif 000010
2019526415.tif 000011
2019526415.tif 000012